(57)【要約】【課題】マーカが入力された動画ファイルを容易に認識することができる撮像装置、画像処理装置、撮像方法、画像処理方法、及びプログラムを提供すること。【解決手段】本発明にかかる撮像装置１は、マーカ管理部４０１と、表示画像データ生成部４０２と、液晶モニタ３０４と、を備える。マーカ管理部４０１は、動画ファイルに対して、マーカを入力する。表示画像データ生成部４０２は、動画ファイルの識別情報と、動画ファイルにマーカが入力されていることを示すマーキング入力情報と、を対応付けた第１のインデックス画像を生成する。液晶モニタ３０４は、第１のインデックス画像を表示する。【選択図】図１
2014131155.tif 000002
【特許請求の範囲】
【請求項１】
撮像処理により動画の撮像データを生成する撮像部と、
前記撮像データを動画ファイルとして格納する記憶部と、
前記動画ファイルに対して、マーカを入力するマーカ入力部と、
前記動画ファイルの識別情報と、前記動画ファイルに前記マーカが入力されていることを示すマーキング入力情報と、を対応付けた第１のインデックス画像を生成するインデックス生成部と、
前記第１のインデックス画像を表示する表示部と、
を備える撮像装置。
【請求項２】
前記マーカ入力部は、１つの前記動画ファイルに対して複数の前記マーカをフレーム毎に入力可能であり、
前記インデックス生成部は、前記動画ファイルに含まれるフレームのうち、前記マーカが入力されたフレームであるマーカ付フレームに対応するフレーム画像を含む第２のインデックス画像を生成し、
前記表示部は、前記第２のインデックス画像を表示する請求項１に記載の撮像装置。
【請求項３】
前記マーカ入力部は、１つの前記動画ファイルに複数種類の前記マーカを入力可能であり、
前記インデックス生成部は、前記第２のインデックス画像において、前記フレーム画像に対して、前記フレームに入力された前記マーカの種類を示すマーキング種別情報を付加する請求項２に記載の撮像装置。
【請求項４】
前記動画ファイルの再生を制御する再生制御部をさらに備え、
前記再生制御部は、前記第２のインデックス画像において前記フレーム画像がユーザにより選択された場合、選択された前記フレーム画像に対応する前記マーカ付フレームを基準として、前記動画ファイルを再生する請求項２または３に記載の撮像装置。
【請求項５】
前記再生制御部は、前記第２のインデックス画像において前記フレーム画像がユーザにより選択された場合、選択された前記フレーム画像に対応する前記マーカ付フレームの所定時間前から所定時間後までの前記動画ファイルを再生する請求項４に記載の撮像装置。
【請求項６】
前記再生制御部は、ユーザからのスキップ再生指示に応じて、再生中の前記フレームの直後または直前の前記マーカ付フレームに応じた前記フレームまでスキップする請求項４または５に記載の撮像装置。
【請求項７】
ユーザからのキャプチャ指示に応じて、前記マーカ付フレームを静止画として前記記憶部に格納する静止画抽出部をさらに備える請求項２〜６のいずれか一項に記載の撮像装置。
【請求項８】
撮像処理により得られた動画の撮像データを動画ファイルとして格納する記憶部と、
前記動画ファイルに対して、マーカを入力するマーカ入力部と、
前記動画ファイルの識別情報と、前記動画ファイルに前記マーカが入力されていることを示すマーキング入力情報と、を対応付けた第１のインデックス画像を生成するインデックス生成部と、
前記第１のインデックス画像を表示する表示部と、
を備える画像処理装置。
【請求項９】
撮像処理により動画の撮像データを生成するステップと、
前記撮像データを動画ファイルとして記憶部に格納するステップと、
前記動画ファイルに対して、マーカを入力するステップと、
前記動画ファイルの識別情報と、前記動画ファイルに前記マーカが入力されていることを示すマーキング入力情報と、を対応付けた第１のインデックス画像を生成するステップと、
前記第１のインデックス画像を表示するステップと、
を備える撮像方法。
【請求項１０】
撮像処理により得られた動画の撮像データを動画ファイルとして記憶部に格納するステップと、
前記動画ファイルに対して、マーカを入力するステップと、
前記動画ファイルの識別情報と、前記動画ファイルに前記マーカが入力されていることを示すマーキング入力情報と、を対応付けた第１のインデックス画像を生成するステップと、
前記第１のインデックス画像を表示するステップと、
を備える画像処理方法。
【請求項１１】
コンピュータに、
撮像処理により得られた動画の撮像データを動画ファイルとして記憶部に格納させるステップと、
前記動画ファイルに対して、マーカを入力させるステップと、
前記動画ファイルの識別情報と、前記動画ファイルに前記マーカが入力されていることを示すマーキング入力情報と、を対応付けた第１のインデックス画像を生成させるステップと、
前記第１のインデックス画像を表示させるステップと、
を実行させるプログラム。
【発明の詳細な説明】
【技術分野】
【０００１】
本発明は撮像装置、画像処理装置、撮像方法、画像処理方法、及びプログラムに関する。
【背景技術】
【０００２】
ビデオカメラ等の撮像装置を用いて動画や静止画を撮像する場合に、ユーザが自動ないし手動で撮像画像データに対して、その撮像画像を識別したり検索したりするための目印（マーカ）を付与する技術が知られている。これらのマーカを用いることにより、ユーザは、撮像された画像データの整理や検索を容易に行うことができる。
【０００３】
また、特許文献１には、タグ情報を参照して、動画にキャプションを付加することができる動画編集方法が開示されている。なお、キャプションとは、動画の内容を説明するための文であり、例えば、歌詞や字幕等である。
【先行技術文献】
【特許文献】
【０００４】
【特許文献１】特開２００８−５０１０号公報
【発明の概要】
【発明が解決しようとする課題】
【０００５】
しかしながら、ユーザは、撮像装置に記憶された動画を再生して確認しなければ、どの動画にどのようなマーカが入力されているのかを認識することが難しいという問題があった。このため、入力したマーカを十分に活用することができなかった。
【０００６】
本発明は、上述の課題に鑑みてなされたものであり、マーカが入力された動画ファイルを容易に認識することができる撮像装置、画像処理装置、撮像方法、画像処理方法、及びプログラムを提供することを目的とする。
【課題を解決するための手段】
【０００７】
本発明の一態様に係る撮像装置は、撮像処理により動画の撮像データを生成する撮像部（１０４）と、前記撮像データを動画ファイルとして格納する記憶部（カード型記録媒体３０２）と、前記動画ファイルに対して、マーカを入力するマーカ入力部（マーカ管理部４０１）と、前記動画ファイルの識別情報と、前記動画ファイルに前記マーカが入力されていることを示すマーキング入力情報と、を対応付けた第１のインデックス画像を生成するインデックス生成部（表示画像データ生成部４０２）と、前記第１のインデックス画像を表示する表示部（液晶モニタ３０４）と、を備えるものである。
本発明の一態様に係る画像処理装置は、撮像処理により得られた動画の撮像データを動画ファイルとして格納する記憶部（カード型記録媒体３０２）と、前記動画ファイルに対して、マーカを入力するマーカ入力部（マーカ管理部４０１）と、前記動画ファイルの識別情報と、前記動画ファイルに前記マーカが入力されていることを示すマーキング入力情報と、を対応付けた第１のインデックス画像を生成するインデックス生成部（表示画像データ生成部４０２）と、前記第１のインデックス画像を表示する表示部（液晶モニタ３０４）と、を備えるものである。
本発明の一態様に係る撮像方法は、撮像処理により動画の撮像データを生成するステップと、前記撮像データを動画ファイルとして記憶部（カード型記録媒体３０２）に格納するステップと、前記動画ファイルに対して、マーカを入力するステップと、前記動画ファイルの識別情報と、前記動画ファイルに前記マーカが入力されていることを示すマーキング入力情報と、を対応付けた第１のインデックス画像を生成するステップと、前記第１のインデックス画像を表示するステップと、を備えるものである。
本発明の一態様に係る画像処理方法は、撮像処理により得られた動画の撮像データを動画ファイルとして記憶部（カード型記録媒体３０２）に格納するステップと、前記動画ファイルに対して、マーカを入力するステップと、前記動画ファイルの識別情報と、前記動画ファイルに前記マーカが入力されていることを示すマーキング入力情報と、を対応付けた第１のインデックス画像を生成するステップと、前記第１のインデックス画像を表示するステップと、を備えるものである。
本発明の一態様に係るプログラムは、コンピュータに、撮像処理により得られた動画の撮像データを動画ファイルとして記憶部（カード型記録媒体３０２）に格納させるステップと、前記動画ファイルに対して、マーカを入力させるステップと、前記動画ファイルの識別情報と、前記動画ファイルに前記マーカが入力されていることを示すマーキング入力情報と、を対応付けた第１のインデックス画像を生成させるステップと、前記第１のインデックス画像を表示させるステップと、を実行させるものである。
【発明の効果】
【０００８】
本発明によれば、マーカが入力された動画ファイルを容易に認識することができる撮像装置、画像処理装置、撮像方法、画像処理方法、及びプログラムを提供することができる。
【図面の簡単な説明】
【０００９】
【図１】実施の形態にかかる撮像装置のブロック図である。
【図２】実施の形態にかかるカード型記録媒体の構成を示すブロック図である。
【図３】実施の形態にかかるマーカ種別テーブルである。
【図４】実施の形態にかかるマーカデータファイルである。
【図５】実施の形態にかかる動画ファイルインデックスの一例である。
【図６】実施の形態にかかるマーカインデックスの一例である。
【図７】実施の形態にかかるマーカインデックスの一例である。
【図８】実施の形態にかかるマーカ付フレームインデックスの一例である。
【図９】実施の形態にかかるインターフェイス画像を説明するための図である。
【図１０】実施の形態にかかるインターフェイス画像を説明するための図である。
【図１１】実施の形態にかかるインターフェイス画像を説明するための図である。
【図１２】実施の形態にかかるメディアのマウント動作を示すフローチャートである。
【図１３】実施の形態にかかる記録動作を示すフローチャートである。
【図１４】実施の形態にかかる再生動作を示すフローチャートである。
【図１５】実施の形態にかかるマーカ再生動作を示すフローチャートである。
【発明を実施するための形態】
【００１０】
以下、図面を参照して本発明の実施の形態について説明する。本発明に係る撮像装置１は、静止画または動画像を撮像する。なお、撮像装置１は、例えば液晶モニタ等の表示部を有するものであれば、その形状、及び構成は特に限定されるものではない。すなわち、撮像装置１は、ビデオカメラに限らず、撮像部及び表示部を有する電子機器（たとえばスマートフォン等の携帯端末装置）であればよい。
【００１１】
＜撮像装置１の構成＞
撮像装置１の構成について図１を参照して説明する。図１は、本実施の形態にかかる撮像装置１の内部構成を示すブロック図である。
【００１２】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成され、撮像、各種画像の表示、及びユーザが撮像画像データにマーカを入力するために、撮像状況に応じて使用されるマーカの種類等に対応したアイコン画像を適切に配置したＧＵＩ（Graphic User Interface）に係る画像（以下、「インターフェイス画像」という。）の特定等の撮像装置１全体の処理を統括的に制御する。
【００１３】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００１４】
撮像部１００を用いた撮像は以下の手順で行われる。撮像素子１０４はズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０５に格納する。
【００１５】
デジタル信号処理部１０８は、バス２００を介して中央制御部４００からの指令に基づき、メインメモリ２０５に格納された撮像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００１６】
マイク１０９は撮像時の周囲の音声を周音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０５に格納する。
【００１７】
多重化部１１３は、メインメモリ２０５に格納された撮像データ及びデジタル音声データの圧縮データを多重化しストリームデータを生成する。また、多重化部１１３は、カード型記録媒体３０２に格納されたストリームデータに逆多重化処理を施し、映像の圧縮データと音声の圧縮データとをそれぞれ分離して生成する。
【００１８】
圧縮・伸長処理部２０１は、バス２００を介して中央制御部４００からの指示に従い、メインメモリ２０５に格納された撮像データ及びデジタル音声データに所定の圧縮処理を施し、圧縮データを生成する。また、圧縮・伸長処理部２０１は、中央制御部４００からの指令に従い、カード型記録媒体３０２等に格納された映像の圧縮データ及び音声の圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００１９】
音声・画像処理部２０２は、バス２００を介して中央制御部４００の指示に従い、メインメモリ２０５から読み出したデジタルデータに所定の画像処理を施す。例えばメニュー画像やＯＳＤ画像等、各種処理のための画像データを生成し、その画像データをメインメモリ２０５から読み出されたオリジナルの撮像データに重畳させて液晶モニタ３０４に出力する。この出力によって、液晶モニタ３０４に表示される画像は各種画像データが合成ないし重畳されたものとなる。なお、液晶モニタ３０４の代わりに有機ＥＬ（Electro - Luminescence）モニタ等の他のモニタを用いることも可能である。
【００２０】
ＲＯＭ２０３はバス２００を介して中央制御部４００に接続されており、中央制御部４００が実行する制御プログラム及び制御に必要な各種データ等を格納している。フラッシュメモリ２０４は、ユーザの設定情報等、撮像装置１の動作に関する各種設定情報を格納している。
【００２１】
メインメモリ２０５は、撮像データ（動画像及び静止画）の一時記憶領域として使用される。メインメモリ２０５は、中央制御部４００の指令に応じて、保持している多重化されたストリームデータ（動画ファイル）をカード型記録媒体３０２または内蔵型記録媒体２０９に格納する。このとき、ストリームデータの格納先をカード型記録媒体３０２にするか、内蔵型記録媒体２０９にするかについて、ユーザが選択できるようにしてもよい。なお、メインメモリ２０５は、中央制御部４００の演算作業領域としても使用される。
【００２２】
メディア制御部２０６は、中央制御部４００の指令に従い、カードＩ／Ｆ３０１を通じてカード型記録媒体３０２または内蔵型記録媒体２０９へのデータの書き込みやデータの読み出しを制御する。カード型記録媒体３０２（撮像データ記憶部、マーカ記憶部）はＳＤカードやコンパクトフラッシュ（登録商標）等の外部メモリであり、撮像装置１に対して脱着可能に設けられている。また、カード型記録媒体３０２は、後述するマーカ種別テーブル、マーカデータファイル、動画ファイルインデックス、マーカインデックス、及びマーカ付フレームインデックスを記憶する。
【００２３】
ジャイロセンサ２０７は、３軸の加速度及び角速度の変化を検出する。そして、ジャイロセンサ２０７の検出結果に応じて、液晶モニタ３０４の表示向きを変える。時計２０８は、撮像画像データの取得日時の情報や、マーカが入力された日時及び時刻等を示す入力時刻情報を生成する。内蔵型記録媒体２０９は、撮像装置１に予め内蔵されたＲＡＭ等のメモリである。
【００２４】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０５に一時記録された撮像データ、又はインターフェイス画像データや各種メニュー画像データ等、各種画像データから生成された画像を表示する。ここで、液晶モニタ３０４に出力される撮像データは、ユーザが操作部３０６の図示しない録画ボタンをＯＮにしてカード型記録媒体等の図示しない記録媒体に記録するものだけでなく、ユーザが撮像する内容を確認するために液晶モニタ３０４に表示される、いわゆるスルー画像に係るデータも含まれるのは勿論である。スピーカ３０５は、例えばメインメモリ２０５に一時記録された音声を出力する。
【００２５】
操作部３０６（マーカ入力部）は、操作ボタン、又は液晶モニタ３０４上に設けられたタッチパネル等から構成されており、ユーザの撮像装置１への操作入力を受け付ける。例えば、ユーザは、マーカを付与したいタイミングで、操作部３０６を操作し、動画に対してマーカを入力する。入出力端子３０７は、図示しないテレビモニタやＰＣ（Personal Computer）等に接続される。
【００２６】
無線モジュール３０９は、バス２００及び無線Ｉ／Ｆ３０８を介して、各データを他の装置との間で送受信する。各種情報及び撮像画像データ等の無線通信はＩＥＥＥ８０２．１１規格に準拠した方式で行われる。より具体的には、無線モジュール３０９は、Ｗｉ−Ｆｉ等の無線ＬＡＮ規格に準拠した通信処理を行う。
【００２７】
＜カード型記録媒体３０２の詳細＞
ここで、図２を参照して、カード型記録媒体３０２に格納された各種データについて詳細に説明する。図２に示すように、カード型記録媒体３０２は、動画ファイル５１、マーカ種別テーブル５２、マーカデータファイル５３、動画ファイルインデックス５４、マーカインデックス５５、及びマーカ付フレームインデックス５６を格納する。このとき、動画ファイルインデックス５４、マーカインデックス５５、及びマーカ付フレームインデックス５６は、予め格納されているわけではなく、後述するようにインデックスを表示する際に、サムネイル画像及びマーカデータに基づいて生成される。なお、カード型記録媒体３０２は、図３に示したデータ以外も格納し得るが、本発明に直接関係しないデータの説明は省略する。
【００２８】
動画ファイル５１は、上述したストリームデータであり、撮像データと音声データが多重化された動画のデータである。カード型記録媒体３０２は、複数の動画ファイル５１を格納する。
【００２９】
マーカ種別テーブル５２は、マーカＩＤ（識別情報）と当該マーカＩＤに対応するマーカとが対応付けられて格納されたテーブルである。なお、マーカとは、動画の任意の時刻を示す標識を意味する。例えば、マーカは、再生中の動画と別のテキストまたは画像であって、当該動画上に表示されるテキストまたは画像である。マーカは、ユーザの操作部３０６の操作に応じて入力されたり、所定の条件に応じて撮像装置１により自動的に入力されたりする。
【００３０】
図３にマーカ種別テーブル５２の一例を示す。図３に示すマーカ種別テーブル５２には、６種類のマーカＩＤ及びマーカが格納されている。マーカＩＤ１０に対応するマーカは、試合の開始を指定するための試合開始マーカ（スタートマーカ）である。マーカＩＤ２０に対応するマーカは、試合の終了を指定するための試合終了マーカ（エンドマーカ）である。マーカＩＤ３０に対応するマーカは、得点が入ったことを示す得点マーカ（ゴールマーカ）である。マーカＩＤ４０に対応するマーカは、確認すべき時刻を示すチェックマーカである。マーカＩＤ５０に対応するマーカは、笑顔が写っていることを示す笑顔マーカである、マーカＩＤ６０に対応するマーカは、良いプレーを示すグッドマーカである。なお、マーカの種類は、図３に示したものに限られない。また、マーカはテキストではなく画像であってもよい。
【００３１】
マーカデータファイル５３は、１つ以上のマーカデータを含むファイルである。ここで、マーカデータは、入力されたマーカを指定するためのマーカＩＤと、マーカが入力された時刻を示す入力時刻と、を少なくとも含む。マーカデータファイル５３は、動画ファイル５１に対応付けられて、カード型記録媒体３０２に格納される。例えば、複数のマーカデータファイル５３は、複数の動画ファイル５１に対して、一対一で対応付けられる。
【００３２】
図４にマーカデータファイル５３の一例を示す。図４に示すマーカデータファイル５３は、６つのマーカデータを格納している。図４に示すマーカデータファイル５３は、１つの動画ファイルに対応付けられて格納される。つまり、１つの動画ファイルに複数のマーカデータが入力されている。マーカは、動画ファイルのフレーム毎に入力可能である。なお、図４に示すマーカデータファイル５３においては、入力時刻はミリ秒（ｍｓ）で表示されている。例えば、一番上のマーカデータは、マーカＩＤが「１０」であり、入力時刻が「８５２１ｍｓ」である。図３に示したように、マーカＩＤ１０のマーカは、試合開始マーカである。つまり、マーカデータファイル５３の一番上のマーカデータは、動画ファイルの時刻８５２１ｍｓに試合開始マーカが入力されたことを意味する。なお、このときの時刻とは、動画ファイルの先頭の時刻を０とした場合の経過時間（以下、メディア内時刻と称す）を意味する。
【００３３】
なお、ユーザによりマーカＩＤ１０の試合開始マーカデータが入力される場合、試合するチームのチームＩＤも入力される。図４に示したマーカデータファイルの１番上のマーカデータは、チームＩＤ１のチームと、チームＩＤ２のチームと、が対戦する試合の試合開始マーカデータである。なお、チームＩＤは、対戦するチームを識別するための情報であり、例えばチーム名等と紐づけられている。
【００３４】
また、ユーザによりマーカＩＤ３０の得点マーカが入力される場合、得点を取ったチームのチームＩＤ及び得点も入力される。図４に示したマーカデータファイルの２番目のマーカデータは、チームＩＤ１のチームが２点を取ったことを示す得点マーカのマーカデータである。同様に、図４に示したマーカデータファイルの３番目のマーカデータは、チームＩＤ１のチームが３点を取ったことを示す得点マーカデータである。
【００３５】
動画ファイルインデックス５４は、カード型記録媒体３０２に格納されている動画ファイル５１のサムネイル画像を含むインデックスの画像である。動画ファイルインデックス５４は、液晶モニタ３０４に表示される。動画ファイルインデックス５４は、液晶モニタ３０４への表示要求がある度に生成される。動画ファイルインデックス５４に含まれるサムネイル画像をユーザが選択することにより、撮像装置１は、当該サムネイル画像に対応する動画ファイル５１を再生する。つまり、動画ファイルインデックス５４においては、動画ファイル５１とサムネイル画像とが一対一で対応している。
【００３６】
図５に動画ファイルインデックス５４の一例を示す。図５に示す動画ファイルインデックス５４には、６つのサムネイル画像９２０〜９２５が含まれている。ユーザは、いずれかのサムネイル画像をタッチ（選択）することにより、所望の動画ファイル５１を再生することができる。
【００３７】
また、動画ファイルインデックス５４には、マークプレイ（ＭＡＲＫ  ＰＬＡＹ）ボタン９３０、戻る（ＲＥＴＵＲＮ）ボタン９３１、及びページ移動ボタン９３２、９３３が含まれている。マークプレイボタン９３０は、後述するマーカインデックスに表示画像を移動させるボタンである。戻るボタン９３１は、表示画像を直前に表示していた画像に戻すボタンである。ページ移動ボタン９３２、９３３は、サムネイル画像が複数のページに亘って表示されている場合に、前後のページへ移動するためのボタンである。
【００３８】
マーカインデックス５５（第１のインデックス画像）は、動画ファイル５１の識別情報と、当該動画ファイル５１にマーカが入力されていることを示すマーキング入力情報と、を対応付けたインデックスの画像である。例えば、マーカインデックス５５は、動画ファイル５１のサムネイル画像に、マーカが入力されていることを示すマーカ入力済みアイコンを重畳させた画像である。マーカインデックス５５も、液晶モニタ３０４への表示要求がある度に生成される。
【００３９】
図６にマーカインデックス５５の一例を示す。このとき、サムネイル画像９２０、９２２、９２５に対応する動画ファイル５１にマーカが入力されているものとする。マーカインデックス５５においては、マーカが入力されている動画ファイル５１のサムネイル画像９２０、９２２、９２５上にマーカ入力済みアイコン９３４が表示されている。マーカ入力済みアイコン９３４が表示されているサムネイル画像９２０、９２２、９２５をユーザがタッチすると、後述するマーカ付フレームインデックスが表示される。一方、マーカ入力済みアイコン９３４が表示されていないユーザがサムネイル画像９２１、９２３、９２４をタッチすると、動画ファイルインデックス５４と同様に、タッチしたサムネイル画像に対応する動画ファイルが再生される。マーカインデックス５５においても、動画ファイル５１とサムネイル画像とが一対一で対応している。
【００４０】
なお、図６の例においては、動画ファイル５１の識別情報としてサムネイル画像を使用し、マーキング入力情報としてマーカ入力済みアイコン９３４を使用しているが、これに限られるものではない。動画ファイル５１の識別情報として、動画ファイル５１のファイル名や作成日時等を使用してもよい。また、マーキング入力情報として、サムネイル画像の色の変化や、サムネイル画像の枠の形状の変化等を使用いてもよい。例えば、マーカインデックス５５は、図７に示すような画像でもよい。図７においては、動画ファイル５１のファイル名（動画ファイル５１の識別情報）と、動画ファイル５１に対応付けられたマーカデータファイルの有無（マーキング入力情報）と、が対応付けられた画像である。
【００４１】
マーカ付フレームインデックス５６（第２のインデックス画像）は、動画ファイル５１に含まれるフレームのうち、マーカ付フレームに対応するサムネイル画像を含むインデックスの画像である。ここで、マーカ付フレームとは、動画ファイル５１のフレームのうち、マーカが入力されているフレームのことを意味する。マーカの入力タイミングを動画ファイルのメディア内時刻を用いて管理している場合は、マーカが入力されたメディア内時刻において表示されるフレームがマーカ付フレームとなる。また、マーカ付フレームインデックス５６には、サムネイル画像に対して、フレームに入力されたマーカの種類を示すマーキング種別情報が付加される。マーカ付フレームインデックス５６も、液晶モニタ３０４への表示要求がある度に生成される。
【００４２】
図８にマーカ付フレームインデックス５６の一例を示す。図８に示したマーカ付フレームインデックス５６は、図６のマーカインデックス５５におけるサムネイル画像９２２を選択した場合に表示される画像である。サムネイル画像９２２に対応する動画ファイル５１は、バスケットボールの試合の動画である。図８に示したマーカ付フレームインデックス５６には、６つのマーカ付フレームに対応するサムネイル画像９４０〜９４５が表示されている。つまり、マーカ付フレームインデックス５６においては、動画ファイル５１とサムネイル画像とが一対一ではなく、１つの動画ファイル５１に対して複数のサムネイル画像が対応している。なお、マーカ付フレームインデックス５６に含まれるサムネイル画像は、マーカ付フレームに対応していればよく、マーカ付フレームそのものでもよいし、マーカ付フレームの前後のフレームの画像でもよい。
【００４３】
図８に示すように、サムネイル画像９４０〜９４５には、マーキング種別情報としてマーカ種別アイコン９５０〜９５５が付加されている。例えば、サムネイル画像９４１は、得点マーカが入力されたマーカ付フレームに対応しているため、得点マーカのマーカ種別アイコン９５１（ＧＯＡＬ）が付加されている。これにより、ユーザは、選択した動画ファイルにおいて、どのような場面で、どのようなマーカが入力されているのかを一目で認識することができる。なお、サムネイル画像９４０〜９４５を選択すると、選択したサムネイル画像に対応するマーカ付フレームを基準として、動画ファイルが再生される。
【００４４】
＜中央制御部４００の詳細＞
続いて、中央制御部４００の内部構成について説明する。中央制御部４００は、マーカ管理部４０１と、表示画像データ生成部４０２と、再生制御部４０３と、静止画抽出部４０４と、を有する（図１参照）。
【００４５】
マーカ管理部４０１（マーカ入力部）は、動画ファイルに対してマーカの入力、変更、及び削除等を行う。具体的には、マーカ管理部４０１は、ユーザの操作により動画ファイルへのマーカの入力要求を受けた場合、マーカデータをマーカデータファイルに追加する。これにより、動画ファイルにマーカが入力される。
【００４６】
表示画像データ生成部４０２（インデックス生成部）は、動画ファイルインデックス５４、マーカインデックス５５、及びマーカ付フレームインデックス５６を生成する。
【００４７】
具体的には、表示画像データ生成部４０２は、動画ファイルインデックス５４の画像データを生成する場合、カード型記録媒体３０２に格納された動画ファイル５１のサムネイル画像を生成する。そして、表示画像データ生成部４０２は、生成したサムネイル画像を所定の順序（例えば、動画ファイルの作成日時等）で表示した動画ファイルインデックス５４を生成する。なお、動画ファイルインデックス５４におけるサムネイル画像は、動画ファイル内の任意のフレーム画像であればよく、例えば、動画ファイルの先頭フレームの画像である。
【００４８】
また、表示画像データ生成部４０２は、マーカインデックス５５の画像データを生成する場合、動画ファイル５１に対応付けられたマーカデータファイル５３を確認する。動画ファイル５１にマーカデータファイル５３が対応付けられていれば、当該動画ファイル５１には、マーカが入力されていることになる。一方、動画ファイル５１にマーカデータファイル５３が対応付けられていなければ、当該動画ファイル５１には、マーカが入力されていないことになる。表示画像データ生成部４０２は、マーカが入力されている動画ファイル５１に対応するサムネイル画像にマーカ入力済みアイコンを付加して（図６参照）、マーカインデックス５５を生成する。なお、表示画像データ生成部４０２は、マーカ入力済みアイコンに加えて、当該動画ファイル５１に入力されているマーカの数を表示してもよい。これにより、ユーザは、動画ファイル５１に入力されているマーカの数を容易に認識できる。
【００４９】
また、表示画像データ生成部４０２は、マーカ付フレームインデックス５６の画像データを生成する場合、対象となる動画ファイル５１に対応付けられたマーカデータファイル５３を参照する。図４に示したように、マーカデータファイル５３には、少なくともマーカＩＤとマーカの入力時刻が含まれている。このため、表示画像データ生成部４０２は、動画ファイル５１からマーカの入力時刻に表示されるフレームからサムネイル画像を生成する。そして、表示画像データ生成部４０２は、生成したサムネイル画像を所定の順序（例えば、マーカの入力時刻順、マーカの種別順等）で表示させる。さらに、表示画像データ生成部４０２は、マーカデータファイル５３を参照して、それぞれの入力時刻において入力されたマーカＩＤから入力されたマーカの種別を特定する。そして、表示画像データ生成部４０２は、特定したマーカ種別に対応するマーカ種別アイコンをサムネイル画像に付加する（図８参照）。
【００５０】
さらに、表示画像データ生成部４０２は、インターフェイス画像やマーカと共に動画を表示するための表示画像データを生成する。つまり、表示画像データ生成部４０２は、動画ファイルに、インターフェイス画像データやマーカ画像データを重畳させる。表示画像データ生成部４０２は、液晶モニタ３０４に、生成した表示画像データを出力する。
【００５１】
インターフェイス画像を表示するためのインターフェイス画像データは、例えば予めカード型記録媒体３０２内に格納されていてもよく、図示しないサーバや撮像装置１に着脱可能な任意の記憶装置（いわゆるＵＳＢメモリ等）から取得してもよい。
【００５２】
表示画像データ生成部４０２が生成した表示画像データは、入出力Ｉ／Ｆ３０３から液晶モニタ３０４に出力される。液晶モニタ３０４は、供給された表示画像データに係る表示画像を表示する。図９は、液晶モニタ３０４に表示された表示画像の一例を示す図である。図９に示すように、液晶モニタ３０４には、現在撮像中の動画と関連するインターフェイス画像を合成した表示画像が表示される。ユーザは動画を確認しながら、マーカ入力用のインターフェイス画像（マーカアイコン）を使用して動画または実際の試合を目視しながらマーカを適宜入力する。
【００５３】
図９に示す表示画像には、バスケットボールの試合の撮像画像に、マーカを入力するためのインターフェイス画像が重畳して表示されている。図示するように、当該インターフェイス画像は、マーカアイコンとして、試合開始マーカアイコン９０１（ＧＡＭＥ  ＳＴＡＲＴ）、グッドマーカアイコン９０２（ＧＯＯＤ）、チェックマーカアイコン９０３（ＣＨＥＣＫ）、フリーマーカアイコン９０４（ＦＲＥＥ）、得点マーカアイコン９０５（ＧＯＡＬ）、及び選手交代マーカアイコン９０６（ＳＵＢＳＴ）を有し、各マーカが入力できる構成である。なお、フリーマーカとは、ユーザが自由に設定可能なマーカを意味している。また、インターフェイス画像は、マーカ取消しアイコン９０７（ＵＮＤＯ）を有し、最後に入力したマーカを取り消すことができる。また、表示画面上部には、得点マーカアイコン９０５の操作に応じて更新されるスコアを示すスコアウインドウ９０８が、インターフェイス画像の一つとして動画上に表示されている。
【００５４】
例えば、ユーザが試合開始マーカアイコン９０１をタッチすると、その時刻情報（入力時刻情報）と試合開始マーカのマーカＩＤとが関連付けられて、マーカデータとしてカード型記録媒体３０２に格納される。このとき、ユーザは、図示しないチーム選択画面から試合を行うチームも選択する。なお、チームテーブルに格納されるチームデータは、ユーザが予め入力しておく。これにより、試合開始マーカデータには、マーカＩＤ、時刻情報、及び試合チーム（チームＩＤ）が対応付けられる（図４参照）。グッドマーカアイコン９０２、チェックマーカアイコン９０３、フリーマーカアイコン９０４、及び選手交代マーカアイコン９０６についても同様である。
【００５５】
試合開始マーカアイコン９０１がタッチされると、試合開始マーカアイコン９０１が試合終了マーカアイコン９０９（ＧＡＭＥ  ＦＩＮＡＬ）に変化する（図１０参照）。ユーザは、試合が終了したときに、試合終了マーカアイコンをタッチして、動画に試合終了マーカを入力する。これにより、試合終了マーカと入力時刻とが対応付けられた試合終了マーカデータが、マーカデータファイルに格納される。
【００５６】
同様に、得点が入った場合には、ユーザは、得点マーカアイコン９０５をタッチする。すると、その入力時刻と得点マーカとが関連付けられて、得点マーカデータとしてマーカデータファイルに格納される。そして、図１１に示すように、液晶モニタ３０４に表示されている動画上に得点マーカ９１０が表示される。
【００５７】
その後、図１２に示すように、得点を取ったチーム及び取得した得点を選択できるインターフェイス画像が表示される。図１２に示したインターフェイス画像は、１点マーカアイコン９１１〜５点マーカアイコン９１５と、チームアイコン９１６、９１７と、操作を取り消すためのキャンセルアイコン９１８と、１画面前に戻るためのリターンアイコン９１９と、を有する。ユーザは、チームアイコン９１６に表示された「Ｔｅａｍ  Ａ」が得点を取った場合には、画面の左半分に表示された１点マーカアイコン９１１〜５点マーカアイコン９１５のいずれか１つをタッチする。一方、チームアイコン９１７に表示された「Ｔｅａｍ  Ｂ」が得点を取った場合には、画面の右半分に表示された１点マーカアイコン９１１〜５点マーカアイコン９１５のいずれか１つをタッチする。これにより、得点マーカＩＤに、得点を取ったチームのチームＩＤ及び取得された得点が対応付けられて、マーカデータとしてマーカデータファイルに格納される。なお、インターフェイス画像（マーカアイコン）の配置や大きさは、図９〜図１２に示すものに限られない。また、マーカアイコンの数や種類は、ユーザが適宜カスタマイズできるようにしてもよい。
【００５８】
なお、同一スポーツに対して、異なる種類及び内容のマーカを入力するために、複数のインターフェイス画像が用意されていても良い。例えば、試合用のインターフェイス画像と、練習用のインターフェイス画像が別の構成となっていてもよい。さらに、スポーツに限らず、演劇や音楽コンサートの撮像用のインターフェイス画像等が存在してもよいことは勿論である。
【００５９】
再生制御部４０３は、ユーザの操作に応じて、動画ファイルの再生処理を実行する。具体的には、再生制御部４０３は、動画ファイルインデックス５４においてユーザにより選択された動画ファイル５１を再生する。また、再生制御部４０３は、マーカ付フレームインデックス５６においてユーザにより選択されたサムネイル画像に対応するフレームを基準として、動画ファイルを再生する。このとき、再生制御部４０３は、フレームリストにおいてユーザにより選択されたフレーム画像に対応する動画ファイルを、マーカ付フレームの所定時間前から所定時間後まで再生する。
【００６０】
静止画抽出部４０４は、ユーザからのキャプチャ指示に応じて、マーカ付フレームを静止画としてカード型記録媒体３０２に格納する。
【００６１】
＜撮像装置１の動作＞
続いて、図１３〜図１５に示すフローチャートを参照して、本実施の形態にかかる撮像装置１の各種動作について説明する。
【００６２】
＜動画記録＞
動画記録の処理動作について説明する。図１３は、動画記録処理を示すフローチャートである。まず、ユーザが、操作部３０６を用いて記録操作することにより、撮像装置１は、記録動作を開始する（ステップＳ１０１）。つまり、中央制御部４００は、撮像データをカード型記録媒体３０２に格納していく。このとき、中央制御部４００が、記録開始時のクロックをカード型記録媒体３０２等のメモリに格納する。なお、クロックとは、中央制御部４００のＣＰＵの動作クロックのことである。
【００６３】
そして、マーカ管理部４０１は、ユーザがマーカを入力したか否かを判定する（ステップＳ１０２）。マーカが入力された場合、マーカ管理部４０１は、入力されたマーカに応じてマーカデータを作成する（ステップＳ１０３）。具体的には、マーカ管理部４０１は、マーカが入力されたときのクロックと、記録開始時のクロックと、の差分からメディア内時刻（動画記録開始時からの時刻）を算出する。そして、マーカ管理部４０１は、メディア内時刻と入力されたマーカのマーカＩＤとを対応付けて、マーカデータを作成する。
【００６４】
次に、中央制御部４００は、ユーザが操作部３０６を用いて記録終了の操作を行ったか否かを判定する（ステップＳ１０４）。記録終了操作が行われた場合（ステップＳ１０４：Ｙｅｓ）、中央制御部４００は、撮像データをカード型記録媒体３０２に格納する処理を停止し、記録を終了する。また、中央制御部４００は、記録終了時のメディア内時刻をカード型記録媒体３０２等に格納する。さらに、マーカ管理部４０１は、作成したマーカデータをマーカデータファイルに格納する（ステップＳ１０５）。以上の動作によって、動画ファイルがマーカデータファイルに対応付けられて、カード型記録媒体３０２に格納される。
【００６５】
＜動画再生＞
続いて、動画再生の処理動作について説明する。図１４は、動画再生処理を示すフローチャートである。まず、ユーザが、操作部３０６を用いて再生操作をすることにより、撮像装置１は、動画再生動作を開始する（ステップＳ２０１）。なお、再生操作とは、例えば、図５に示した動画ファイルインデックスのサムネイル画像をタッチする等の動作である。
【００６６】
次に、マーカ管理部４０１は、再生を開始する動画ファイルに対応付けられたマーカデータファイルをカード型記録媒体３０２から読み込む（ステップＳ２０２）。
【００６７】
次に、再生制御部４０３は、動画ファイルの再生が終了したか否かを判定する（ステップＳ２０３）。再生終了していない場合（ステップＳ２０３：Ｎｏ）、マーカ管理部４０１は、マーカ関連情報を更新する（ステップＳ２０４）。具体的には、マーカ管理部４０１は、動画ファイルの時刻を取得して、当該時刻において、更新されるべきマーカ関連情報を更新する。なお、再生終了とは、ユーザが再生停止操作をした場合、または、動画が最後まで再生された場合である。
【００６８】
このとき、マーカ関連情報とは、例えば、「アイコン表示すべきマーカ種別」、「マーカを入力可能か否か」、「マーカを削除可能か否か」、「試合中か否か」、「試合の対戦チーム名」、及び「試合の現在の得点」等に関する情報である。マーカ管理部４０１は、これらのマーカ関連情報を更新し、再生中の動画において、表示、変更、または削除すべきマーカがあれば、動画の表示を更新する（ステップＳ２０５）。
【００６９】
例えば、マーカ関連情報の更新によって、動画ファイルの時刻において表示すべきマーカが存在すれば、表示画像データ生成部４０２は、表示すべきマーカの画像データを再生中の動画データに重畳させた表示画像データを生成する。そして、再生制御部４０３は、例えば、図１１に示すように、再生中の動画にマーカを表示させる。また、マーカ関連情報の更新によって、得点が変更された場合、表示画像データ生成部４０２は、変更後の得点を表示した表示画像データを生成する（例えば、図１１に示したように、スコアウインドウの表示を変更した表示画像データを生成する）。
【００７０】
その後、再生制御部４０３は、再生終了したか否かを再度判定する（ステップＳ２０３）。未だ再生終了していない場合（ステップＳ２０３：Ｎｏ）、マーカ管理部４０１は、再度マーカ関連情報を更新する（ステップＳ２０４）。つまり、再生を終了するまで、マーカ関連情報の更新（ステップＳ２０４）及び表示更新（ステップＳ２０５）は定期的（例えば、５００ｍｓ周期）に行われる。
【００７１】
一方、再生終了した場合（ステップＳ２０３：Ｙｅｓ）、マーカ管理部４０１は、動画ファイルの再生中に、当該動画ファイルに対応するマーカデータファイルが更新（追加、削除、または変更）されたか否かを判定する（ステップＳ２０６）。マーカデータファイルが更新されていない場合（ステップＳ２０６：Ｎｏ）、動画再生の動作は終了する。
【００７２】
一方、マーカデータファイルが更新された場合（ステップＳ２０６：Ｙｅｓ）、マーカ管理部４０１は、更新後のマーカデータファイルを再生した動画ファイルに対応付けてカード型記録媒体３０２に格納する（ステップＳ２０７）。
【００７３】
＜マーカ再生＞
続いて、マーカ再生の処理動作について説明する。図１５は、マーカ再生処理を示すフローチャートである。なお、マーカ再生とは、マーカが入力された動画ファイルのマーカの入力時刻（またはマーカ付フレーム）周辺の動画のみを再生することを意味する。まず、表示画像データ生成部４０２は、動画ファイルインデックス５４の表示要求に応じて、動画ファイルインデックス５４を生成し、カード型記録媒体３０２に格納する。そして、再生制御部４０３は、カード型記録媒体３０２に格納された動画ファイルインデックス５４（図５参照）を液晶モニタ３０４に表示させる（ステップＳ３０１）。
【００７４】
ここで、再生制御部４０３は、動画ファイルが選択されたか否かを判定する（ステップＳ３０２）。具体的には、再生制御部４０３は、動画ファイルインデックス５４に含まれるサムネイル画像がユーザによりタッチされたか否かを判定する。動画ファイルが選択された場合（ステップＳ３０２：Ｙｅｓ）、再生制御部４０３は、選択された動画ファイルを再生する（ステップＳ３０３）。つまり、再生制御部４０３は、図１４において説明した動画再生フローを実行する。
【００７５】
一方、動画ファイルが選択されない場合（ステップＳ３０２：Ｎｏ）、再生制御部４０３は、マーク再生操作が行われたか否かを判定する（ステップＳ３０４）。つまり、再生制御部４０３は、ユーザがマーク再生ボタン９３０をタッチしたか否かを判定する（図５参照）。マーク再生操作が行われていない場合、再生制御部４０３は、動画ファイルの選択が行われたか否かの判定に戻る（ステップＳ３０２）。
【００７６】
マーク再生操作が行われた場合、表示画像データ生成部４０２は、マーカインデックス５５を生成し、カード型記録媒体３０２に格納する。そして、再生制御部４０３は、カード型記録媒体３０２に格納されたマーカインデックス５５（図６参照）を液晶モニタ３０４に表示させる（ステップＳ３０５）。
【００７７】
再生制御部４０３は、マーカインデックス５５において、マーカ入力済みの動画ファイルが選択されたか否かを判定する（ステップＳ３０６）。つまり、再生制御部４０３は、マーカインデックス５５において、マーカ入力済みアイコン（マーキング入力情報）が付加されているサムネイル画像が選択されたか否かを判定する。
【００７８】
マーカインデックス５５において、マーカ入力済みの動画ファイルが選択されていない場合（ステップＳ３０６：Ｎｏ）、再生制御部４０３は、マーカインデックス５５の表示を続ける（ステップＳ３０５）。なお、再生制御部４０３は、マーカが入力されていない動画ファイルが選択された場合、通常の動画ファイルの再生（ステップＳ３０２）を行ってもよい。
【００７９】
一方、マーカ入力済みの動画ファイルが選択された場合（ステップＳ３０６：Ｎｏ）、表示画像データ生成部４０２は、選択された動画ファイルのマーカ付フレームインデックスを生成する。そして、再生制御部４０３は、選択された動画ファイルのマーカ付フレームインデックス５６（図８参照）を、液晶モニタ３０４に表示させる（ステップＳ３０７）。
【００８０】
そして、再生制御部４０３は、マーカ付フレームインデックス５６において、サムネイル画像が選択されたか否かを判定する（ステップＳ３０８）。マーカ付フレームインデックス５６において、サムネイル画像が選択されていない場合（ステップＳ３０８：Ｎｏ）、再生制御部４０３は、マーカ付フレームインデックス５６の表示を続ける（ステップＳ３０７）。
【００８１】
一方、マーカ付フレームインデックス５６において、サムネイル画像が選択された場合（ステップＳ３０８：Ｙｅｓ）、再生制御部４０３は、マーカ付フレームを基準として、動画ファイルを再生する（ステップＳ３０９）。具体的には、再生制御部４０３は、マーカ付フレームの所定時間前から所定時間後までの動画ファイルを再生する。
【００８２】
また、再生制御部４０３は、ダイジェスト再生を行うこともできる。ダイジェスト再生とは、ダイジェスト再生の対象となる動画ファイルに対応付けられたマーカデータファイルに含まれる各マーカデータの入力時刻周辺の動画のみを再生することを意味する。入力時刻周辺の動画とは、マーカの入力時刻（又はマーカ付フレーム）の所定時間前から所定時間後までの動画であり、例えば、マーカの入力時刻の前後３秒間の動画等である。このとき、マーカ付フレームの前後の再生時間をユーザが設定できるようにしてもよい。これにより、ユーザは、動画ファイルに入力されたマーカ周辺の動画のみによって構成されたダイジェスト映像を鑑賞することができる。なお、ダイジェスト再生の対象となるマーカをユーザが適宜設定できるようにしてもよい。例えば、得点シーンのみのダイジェストを鑑賞したい場合、ユーザは、ダイジェスト再生の対象となるマーカを得点マーカに設定する。これにより、再生制御部４０３は、得点マーカの入力時刻周辺の動画のみを再生する。
【００８３】
このとき、再生中に、ユーザによりスキップ再生指示が行われた場合、再生制御部４０３は、再生中のフレームの直後または直前のマーカ付フレームまで動画をスキップする。つまり、再生制御部４０３は、マーカ付フレームをスキップ先として設定し、スキップ再生指示に応じて、スキップ先まで動画を飛ばす。これにより、再生中にマーカ付フレームをユーザが探す必要がなく、容易にマーカが入力された部分の映像まで移動できる。
【００８４】
さらに、静止画抽出部４０４は、ユーザのキャプチャ指示に応じて、動画ファイル中のマーカ付フレームを抽出し、静止画としてカード型記録媒体３０２等のメモリに格納することもできる。これにより、マーカ付フレームを静止画として保存、閲覧することができる。
【００８５】
以上のように、本実施の形態にかかる撮像装置１の構成によれば、マーカ管理部４０１が、動画ファイルにマーカを入力する。そして、表示画像データ生成部４０２が、動画ファイルのサムネイル画像（識別情報）と、マーカ入力済みアイコン（マーキング入力情報）と、を対応付けた動画ファイルインデックスを生成する、これにより、ユーザは、どの動画ファイルにマーカが入力されているのかを容易に認識することができる。
【００８６】
さらに、本実施の形態においては、撮像装置を対象として本発明を説明したが、本発明を撮像能力の無い装置（例えば、画像処理装置）に応用することも可能である。当該画像処理装置には、静止画及び動画を撮像可能な撮像装置から撮像データが適宜入力される。そして、画像処理装置は、入力された撮像データに対して、上述した処理を実行するようにしてもよい。
【００８７】
以上、本発明を上記実施形態に即して説明したが、上記実施形態の構成にのみ限定されるものではなく、本願発明の範囲内で当業者であればなし得る各種変形、修正、組み合わせを含むことは勿論である。
【００８８】
例えば、カード型記録媒体３０２内に記憶する情報の一部は、撮像装置１に着脱可能な記憶装置（例えばＵＳＢメモリ）に記憶されても良いことは言うまでもない。また、撮像装置１は、ネットワーク上からカード型記録媒体３０２内に保持すべき情報を適宜ダウンロードしても良い。また、カード型記録媒体３０２内に記憶されている情報の少なくとも一部は、中央制御部４００内の記憶部（図示せず）に記憶されていても良い。
【００８９】
また、上述の撮像装置及び携帯端末装置の任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュメモリ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９０】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００９１】
１  撮像装置
４０１  マーカ管理部
４０２  表示画像データ生成部
４０３  再生制御部
４０４  静止画抽出部
【図１】
2014131155.tif 000003
【図２】
2014131155.tif 000004
【図３】
2014131155.tif 000005
【図４】
2014131155.tif 000006
【図５】
2014131155.tif 000007
【図６】
2014131155.tif 000008
【図７】
2014131155.tif 000009
【図８】
2014131155.tif 000010
【図９】
2014131155.tif 000011
【図１０】
2014131155.tif 000012
【図１１】
2014131155.tif 000013
【図１２】
2014131155.tif 000014
【図１３】
2014131155.tif 000015
【図１４】
2014131155.tif 000016
【図１５】
2014131155.tif 000017